(57)【要約】【課題】異形リフレクターを有する照明器具構造を提供する。【解決手段】主に光源、ランプシェード、電源供給装置、異形リフレクター、及び透明部材により構成される。前記異形リフレクターの内側は反射面であり、前記反射面の２つの側辺は凸状曲線により構成される直線段構造であり、表面及び裏面は凸状曲線構成の弧形面構造であり、前記凸状曲線は複数の異なる傾斜角度の斜面が相互に連結される事で組成され、各斜面の傾斜角度は前記リフレクターの底部から頂部にかけてリフレクターの中心の傾斜が偏向される事で形成され、この異形リフレクターにより光源が発生させる光線は反射した後照明領域内に照射され、長方形或いは特殊な形状の照明範囲を形成させる。【選択図】図１０
2013161787.tif 000002
【特許請求の範囲】
【請求項１】
光線を発生させる光源と、
前記光源が内部に設けられ、内表面は反射面であり、前記反射面は平面を連結させる第一階段状凸状曲線及び第二階段状凸状曲線を少なくとも有し、前記第一階段状凸状曲線及び前記第二階段状凸状曲線は皆複数の異なる傾斜角度の斜面が相互に連結される事で組成される異形リフレクターを少なくとも備え、
前記第一階段状凸状曲線各斜面は前記リフレクターの底部から頂部にかけて前記リフレクターの中心の傾斜を偏向させてゆき、頂端は前記平面の外縁に連結され、前記第二階段状凸状曲線の各斜面は前記平面の内縁から頂部にかけて前記リフレクターの中心の傾斜を偏向させてゆき、前記リフレクターの両側面は２つの階段状凸状曲線及び前記平面により構成される直線段構造であり、前記リフレクターの頂面は平面であり、前記リフレクターの表面及び裏面は皆両側面の直線段構造の辺縁から同じ前記凸状曲線及び前記平面構成の凸状弧形面構造に連結される事を特徴とする改良式の不規則なリフレクターを有する照明器具構造。
【請求項２】
前記光源に電力を供給させる電源供給装置と、
前記リフレクターの外に被覆され、底面には出光口部を形成させるダストカバーと、
前記ダストカバーの出光口部の底面に設置される透明部材を更に備える事を特徴とする、請求項１に記載の改良式の不規則なリフレクターを有する照明器具構造。
【請求項３】
前記異形リフレクターの両側面の第一階段状凸状曲線及び第二階段状凸状曲線により構成される直線段構造は凹状斜面により連結され、表面及び裏面の２面の前記第一階段状凸状曲線及び第二階段状凸状曲線により構成される凸状弧形面構造は扇形凹状斜面により連結される事を特徴とする、請求項１に記載の改良式の不規則なリフレクターを有する照明器具構造。
【請求項４】
前記異形リフレクターの頂面は凹状頂面であり、前記凹状頂面は複数の異なる下向きの傾斜角の斜面により相互に連結されて組成され、下向きの傾斜角の各前記部分的斜面の傾斜角度は前記第二階段状凸状曲線により構成される直線段構造及び凸状弧形面の頂縁から前記リフレクターの中心にかけて前記リフレクターの底部の傾斜を偏向させてゆくことで形成される事を特徴とする、請求項１に記載の改良式の不規則なリフレクターを有する照明器具構造。
【請求項５】
前記異形リフレクターの両側面は３つの階段状凸状曲線により構成される直線段構造により組成され、表面及び裏面の２面は３つの階段状凸状弧形面により組成され、両側面の第一階段状凸状曲線及び第二階段状凸状曲線により構成される直線段構造は平面により連結され、第二階段状凸状曲線及び第三階段状凸状曲線により構成される直線段構造は凹状斜面により連結され、表面及び裏面の第一階段状凸状曲線及び第二階段状凸状曲線により構成される凸状弧形面は扇状平面により連結され、第二階段状凸状曲線及び第三階段状凸状曲線により構成される凸状弧形面は凹状扇形面により連結される事を特徴とする、請求項１に記載の改良式の不規則なリフレクターを有する照明器具構造。
【請求項６】
前記異形リフレクターの表面は２つの凸状弧面及び凸状直線段構造により組成される構造であり、リフレクターの裏面は凸状直線段構造である事を特徴とする、請求項１に記載の改良式の不規則なリフレクターを有する照明器具構造。
【請求項７】
前記異形リフレクターの底部から外側に平面が延伸され、平面には少なくとも２つの貫通孔を有し、前記貫通孔はネジナット組部材により前記ダストカバー内部に設置される支持物に結合され、頂面の中心の大貫通孔はランプを貫通させ、近隣の２つの小貫通孔は照明器具支持物を固定させる事を特徴とする、請求項１に記載の改良式の不規則なリフレクターを有する照明器具構造。
【請求項８】
前記異形リフレクターの底部から外側に平面が延伸され、表面にはランプに貫通させる貫通孔を有し、頂面の２つの小貫通孔は照明器具支持物を固定させる事を特徴とする、請求項１に記載の改良式の不規則なリフレクターを有する照明器具構造。
【請求項９】
光線を発生させる光源と、
前記光源が内部に設けられ、内表面は反射面であり、前記反射面は複数の異なる傾斜角度の斜面が相互に連結されることで凸状曲線を組成させ、各前記斜面の傾斜角度はその底部から頂部にかけてその中心の傾斜を偏向させてゆくことで形成される異形リフレクターを少なくとも備え、
前記リフレクターの両側面は前記凸状曲線により構成される直線段構造であり、前記リフレクターの頂面は平面であり、前記リフレクターの表面及び裏面は皆両側面の直線段構造の辺縁から同じ凸状曲線が連結されて構成される凸状弧形面構造である事を特徴とする改良式の不規則なリフレクターを有する照明器具構造。
【請求項１０】
前記光源に電力を供給させる電源供給装置と、
前記リフレクターの外に被覆され、底面に出光口部を形成させるダストカバーと、
前記ダストカバーの出光口部の底面に設置される透明部材を更に備える事を特徴とする、請求項９に記載の改良式の不規則なリフレクターを有する照明器具構造。
【請求項１１】
前記異形リフレクターの頂面は凹状頂面であり、前記凹状頂面は複数の異なる下向きの傾斜角の斜面により相互に連結されて組成され、各下向きの傾斜角の前記部分斜面の傾斜角度は前記凸状曲線により構成される直線段構造及び凸状弧形面の頂縁から前記リフレクターの中心にかけて前記リフレクターの底部の傾斜が偏向することで形成される事を特徴とする、請求項９に記載の改良式の不規則なリフレクターを有する照明器具構造。
【請求項１２】
前記異形リフレクターの表面は２つの凸状弧面及び凸状直線段構造により組成される構造であり、リフレクターの裏面は凸状直線段構造である事を特徴とする、請求項９に記載の改良式の不規則なリフレクターを有する照明器具構造。
【請求項１３】
前記異形リフレクターの底部から外側に平面が延伸され、平面には少なくとも２つの貫通孔を有し、前記貫通孔はネジナット組部材により前記ダストカバー内部に設置される支持物に結合され、頂面の中心の大貫通孔はランプを貫通させ、近隣の２つの小貫通孔は照明器具支持物を固定させる事を特徴とする、請求項９に記載の改良式の不規則なリフレクターを有する照明器具構造。
【請求項１４】
前記異形リフレクターの底部から外側に平面が延伸され、表面にはランプを貫通させる貫通孔を有し、頂面の２つの小貫通孔により照明器具支持物を固定させる事を特徴とする、請求項９に記載の改良式の不規則なリフレクターを有する照明器具構造。
【請求項１５】
光線を発生させる光源と、
前記光源が内部に設けられ、内表面は反射面であり、前記反射面は２つの複数の異なる傾斜角度の斜面により相互に連結されて２組の凸状曲線を組成させ、各前記斜面の傾斜角度はその底部から頂部にかけてその中心の傾斜を偏向させることにより形成される異形リフレクターを少なくとも備え、
リフレクターの２つの側辺は２組の異なる凸状曲線が重層になり伸長されて直線段構造が形成され、前記リフレクターの頂面は平面であり、前記リフレクターの表面及び裏面は皆両側面の直線段構造の辺縁から異なる各凸状曲線が連結されて構成される凸状弧形面構造であり、２つの凸状弧形面構造は非対称の構造である事を特徴とする改良式の不規則なリフレクターを有する照明器具構造。
【請求項１６】
前記光源に電力を供給させる電源供給装置と、
前記リフレクターの外に被覆され、底面には出光口部を形成させるダストカバーと、
前記ダストカバーの出光口部の底面に設置される透明部材を更に備える事を特徴とする、請求項１５に記載の改良式の不規則なリフレクターを有する照明器具構造。
【請求項１７】
前記異形リフレクターの頂面は凹状頂面であり、前記凹状頂面は複数の異なる下向きの傾斜角の斜面が相互に連結される事で組成され、下向きの傾斜角の各前記部分斜面の傾斜角度は前記凸状曲線が構成させる直線段構造及び凸状弧形面の頂縁から前記リフレクターの中心にかけて前記リフレクターの底部の傾斜を偏向させる事により形成される事を特徴とする、請求項１５に記載の改良式の不規則なリフレクターを有する照明器具構造。
【請求項１８】
前記異形リフレクターの底部から外側に平面が延伸され、平面には少なくとも２つの貫通孔を有し、前記貫通孔はネジナット組部材により前記ダストカバー内部に設置される支持物に結合され、頂面の中心の大貫通孔はランプに貫通させ、近隣の２つの小貫通孔は照明器具支持物を固定させる事を特徴とする、請求項１５に記載の改良式の不規則なリフレクターを有する照明器具構造。
【請求項１９】
前記異形リフレクターの表面は２つの凸状弧面及び凸状直線段構造により組成され、リフレクターの裏面は凸状直線段構造である事を特徴とする、請求項１５に記載の改良式の不規則なリフレクターを有する照明器具構造。
【請求項２０】
前記異形リフレクターの底部から外側に平面が延伸され、表面にはランプに貫通させる貫通孔を有し、頂面の２つの小貫通孔は照明器具支持物を固定させる事を特徴とする、請求項１５に記載の改良式の不規則なリフレクターを有する照明器具構造。
【発明の詳細な説明】
【技術分野】
【０００１】
本発明は、照明器具に関し、より詳しく改良式の不規則なリフレクターを有する照明器具構造に関する。
【背景技術】
【０００２】
一般的な従来の照明器具は光源の周囲にリフレクターを設置させ、リフレクターの設計が異なれば照明器具の照明領域も異なる範囲に形成される。
【０００３】
図１Ａは従来の照明器具構造であり、リフレクターを有し、中間は弧形反射面１０１になり、２つの側辺はリフレクターの頂面にかけて傾斜する平面反射面１０２及び平面反射面１０３であり、これら３つの反射面により前記リフレクター構造を組成させる。２つの側辺の傾斜する平面反射面１０２及び平面反射面１０３はそれぞれ貫通孔１０４及び貫通孔１０５を有する。ランプ１０６はこの２つの貫通孔１０４及び貫通孔１０５を貫通させてリフレクターの中心位置に設置される。このリフレクターの照明領域は正方形の範囲に近似する。
【０００４】
図１Ｂは他の従来の照明器具構造であり、リフレクターを有し、様式は半楕円形反射面１０７であり、側辺には貫通孔１０８を有し、ランプ１０９は貫通孔１０８を貫通させると共にリフレクター内部の中心位置に設置され、リフレクターの照明領域は楕円形の範囲に近似する。
【０００５】
図１Ｃは他の従来の照明器具構造であり、リフレクターを有し、様式は側辺が弧形反射面１１０になり、頂部は平面反射面１１１であり、平面反射面１１１の中心には貫通孔１１２を有し、ランプ１１３は貫通孔１１２を貫通させると共にリフレクター頂部の中心位置に設置され、リフレクターの照明領域は円形の範囲になる。
【発明の概要】
【発明が解決しようとする課題】
【０００６】
しかしながら、前述した従来の技術では、正方形、楕円形、或いは円形の照明範囲しかなく、道路、長い廊下、広告看板や生産ライン作業台等の場所には適用できず、無理に応用すれば照明効率を低下させて照明器具を増加させねばならなくなり、電力を浪費させるといった問題があった。
【０００７】
そこで、本発明者は上記の欠点が改善可能と考え、鋭意検討を重ねた結果、合理的設計で上記の課題を効果的に改善する本考案の提案に到った。
【０００８】
本発明は、このような従来の問題に鑑みてなされたものである。上記課題解決のため、本発明は、改良式の不規則なリフレクターを有する照明器具構造を提供することを主目的とする。
【課題を解決するための手段】
【０００９】
上述した課題を解決し、目的を達成するために、本発明に係る改良式の不規則なリフレクターを有する照明器具構造は、
光線を発生させる光源と、
前記光源が内部に設けられ、内表面は反射面であり、前記反射面は平面を連結させる第一階段状凸状曲線及び第二階段状凸状曲線を少なくとも有し、前記第一階段状凸状曲線及び前記第二階段状凸状曲線は皆複数の異なる傾斜角度の斜面が相互に連結される事で組成される異形リフレクターを少なくとも備え、
前記第一階段状凸状曲線各斜面は前記リフレクターの底部から頂部にかけて前記リフレクターの中心の傾斜を偏向させてゆき、頂端は前記平面の外縁に連結され、前記第二階段状凸状曲線の各斜面は前記平面の内縁から頂部にかけて前記リフレクターの中心の傾斜を偏向させてゆき、前記リフレクターの２つの側面は２つの階段状凸状曲線及び前記平面により構成される直線段構造であり、前記リフレクターの頂面は平面であり、前記リフレクターの表面及び裏面は皆２つの側面の直線段構造の辺縁から同じ前記凸状曲線及び前記平面構成の凸状弧形面構造に連結されることを特徴とする。
【００１０】
また、本発明に係る異形リフレクターを有する照明器具構造は、
光線を発生させる光源と、
前記光源が内部に設けられ、内表面は反射面であり、反射面は第一階段状凸状曲線及び第二階段状凸状曲線を少なくとも有し、その間は平面或いは斜面により連結され、第一階段状凸状曲線及び第二階段状凸状曲線は皆複数の異なる傾斜角度の斜面が相互に連結されて組成され、第一階段状凸状曲線の各斜面はその底部から頂部にかけてその中心の傾斜を偏向させてゆき、頂端は平面或いは斜面の外縁に連結され、第二階段状凸状曲線の各斜面は前記平面或いは斜面の内縁から頂部にかけてその中心の傾斜を偏向させてゆく異形リフレクターを少なくとも備え、
前記リフレクターの２つの側面は２つの階段状凸状曲線により構成される直線段構造であり、前記２つの側面は対称構造であり、前記リフレクターの頂面は平面或いは凹状頂面であり、前記凹状頂面は複数の異なる下向きの傾斜角の斜面が相互に連結される事で組成され、下向きの傾斜角の各前記部分斜面の傾斜角度は前記凸状弧形面の頂縁から前記リフレクターの中心にかけて前記リフレクターの底部の傾斜を偏向させる事により形成され、前記リフレクターの表面及び裏面は皆２つの側面の直線段構造の辺縁から同じ各凸状曲線が連結されて構成される凸状弧形面構造であり、２つの凸状弧形面構造は対称構造或いは非対称構造であることを特徴とする。
【００１１】
更に、本発明に係る異形リフレクターを有する照明器具構造は、
光線を発生させる光源と、
前記光源が内部に設けられ、内表面は反射面であり、反射面は第一階段状凸状曲線及び第二階段状凸状曲線を少なくとも有し、その間は平面或いは斜面により連結され、第一階段状凸状曲線及び第二階段状凸状曲線は皆複数の異なる傾斜角度の斜面が相互に連結されて組成され、第一階段状凸状曲線の各斜面はその底部から頂部にかけてその中心の傾斜を偏向させてゆき、頂端は平面或いは斜面の外縁に連結され、第二階段状凸状曲線の各斜面は前記平面或いは斜面の内縁から頂部にかけてその中心の傾斜を偏向させてゆく異形リフレクターを少なくとも備え、
前記リフレクターの２つの側面は２つの階段状凸状曲線により構成される直線段構造であり、前記２つの側面は対称構造であり、前記リフレクターの頂面は平面或いは凹状頂面であり、前記凹状頂面は複数の異なる下向きの傾斜角の斜面が相互に連結される事で組成され、下向きの傾斜角の各前記部分斜面の傾斜角度は前記凸状曲線の頂縁から前記リフレクターの中心にかけて前記リフレクターの底部の傾斜を偏向させてゆく事で形成され、前記リフレクターの表面は２つの凸状弧面及び凸状直線段構造により組成され、２つの凸状弧面は２つの側面直線段構造の辺縁から同じ凸状曲線により構成される凸状弧面であり、２つの凸状弧面は凸状直線段構造の２つの側辺が互いに連結され、前記凸状直線段構造の内反射面は複数の異なる傾斜角度の斜面が相互に連結される事で組成され、各斜面の傾斜角度はリフレクターの底部から頂部にかけてリフレクターの中心の傾斜が偏向されてゆく事で形成され、リフレクターの裏面は凸状直線段構造であり、凸状直線段構造の２つの側辺とリフレクターの２つの側面の直線段構造とは互いに連結され、前記凸状直線段構造の内反射面は複数の異なる傾斜角度の斜面が相互に連結される事で組成され、各斜面の傾斜角度はリフレクターの底部から頂部にかけてリフレクターの中心の傾斜が偏向されてゆく事で形成されることを特徴とする。
【００１２】
なお、本発明に係る改良式の不規則なリフレクターを有する照明器具構造は、
光線を発生させる光源と、
前記光源が内部に設けられ、内表面は反射面であり、前記反射面は２つの複数の異なる傾斜角度の斜面により相互に連結されて２組の凸状曲線を組成させ、各前記斜面の傾斜角度はその底部から頂部にかけてその中心の傾斜を偏向させることにより形成される異形リフレクターを少なくとも備え、
リフレクター２つの側辺は２組の異なる凸状曲線が重層になり伸長されて直線段構造が形成され、両側辺の直線段構造は対称或いは非対称の構造であり、前記リフレクターの頂面は平面或いは凹状頂面であり、前記凹状頂面は複数の異なる下向きの傾斜角の斜面が相互に連結される事で組成され、下向きの傾斜角の各前記部分斜面の傾斜角度は前記凸状曲線の頂縁から前記リフレクターの中心にかけて前記リフレクターの底部の傾斜を偏向させてゆく事で形成され、前記リフレクターの表面及び裏面は皆２つの側面の直線段構造の辺縁から異なる凸状曲線が構成させる凸状弧形面構造にそれぞれ連結され、２つの凸状弧形面構造は非対称の構造であることを特徴とする。
【発明の効果】
【００１３】
本発明に係る異形リフレクターの各反射面は光源が発生させる光線を所定の照明領域に反射させ、この特殊な構造を利用し、照明領域を長方形或いは特殊な照明範囲にし、本発明によれば、特に道路、長い廊下、広告看板や生産ライン作業台等の場所に適用され、前記光源が発生させる光線を有効な照明光線にし、照明器具の消費電力を下げつつ同程度の照明度を維持させる節電及び二酸化炭素排出量削減効果が得られる。
【図面の簡単な説明】
【００１４】
【図１】図１Ａ〜Ｃは、公知の３種類のリフレクターの概略図である。
【図２】図２Ａは、本発明に係る改良式の不規則なリフレクターの第一種構造を説明する側面図である。図２Ｂは、本発明に係る改良式の不規則なリフレクターの第一種構造を説明する表面図である。
【図３】図３Ａは、本発明に係る改良式の不規則なリフレクターの第二種構造を説明する側面図である。図３Ｂは、本発明に係る改良式の不規則なリフレクターの第二種構造を説明する表面図である。
【図４】図４Ａは、本発明に係る改良式の不規則なリフレクターの第三種構造を説明する側面図である。図４Ｂは、本発明に係る改良式の不規則なリフレクターの第三種構造を説明する表面図である。
【図５】図５Ａは、本発明に係る改良式の不規則なリフレクターの第四種構造を説明する側面図である。図５Ｂは、本発明に係る改良式の不規則なリフレクターの第四種構造を説明する表面図である。
【図６】図６Ａは、本発明に係る改良式の不規則なリフレクターの第五種構造を説明する側面図である。図６Ｂは、本発明に係る改良式の不規則なリフレクターの第五種構造を説明する表面図である。
【図７】図７Ａは、本発明に係る改良式の不規則なリフレクターの第六種構造を説明する側面図である。図７Ｂは、本発明に係る改良式の不規則なリフレクターの第六種構造を説明する表面図である。
【図８】図８Ａは、本発明に係る改良式の不規則なリフレクターの第七種構造を説明する側面図である。図８Ｂは、本発明に係る改良式の不規則なリフレクターの第七種構造を説明する表面図である。
【図９】図９Ａは、本発明に係る改良式の不規則なリフレクターの第八種構造を説明する表面図である。図９Ｂは、本発明に係る改良式の不規則なリフレクターの第九種構造を説明する表面図である。
【図１０】図１０Ａは、本発明に係る改良式の不規則なリフレクターのランプを貫通孔に穿設する実施例を示す表面図である。図１０Ｂは、本発明に係る改良式の不規則なリフレクターの他種類のランプを貫通孔に穿設する実施例を示す表面図である。
【図１１】本発明の改良式の不規則なリフレクターを吊るし照明器具に用いられる断面概略図である。
【図１２】本発明を街灯照明器具に適用される断面概略図である。
【発明を実施するための形態】
【００１５】
以下に図面を参照して本発明を実施するための形態について、詳細に説明する。なお、本発明は、以下に説明する実施形態に限定されるものではない。図１１は本発明に係る改良式の不規則なリフレクターを有する照明器具構造の実施形態の断面概略図であり、吊るし照明器具１０の照明器具構造の上方部分には電気箱１０１１を有し、電源供給装置１０１２は電気箱１０１１内に設置され、鉄板１０１７により電気箱１０１１の底部に固定され、ダストカバー１０１３は電気箱１０１１の下方に設置され、ダストカバー１０１３の底部には透明部材１０１８が装設され、内部には支持物１０１４が装設され、改良式異形リフレクター１０１５は支持物１０１４に設置され、光源１０１６はリフレクター１０１５の頂部の照明器具支持物１０１９に設置される。
【００１６】
以上の部材により改良式の不規則なリフレクターを有する照明器具構造が組成される。本発明の重点は異形リフレクターの設計にあり、以降に詳細に説明する。
【００１７】
図２Ａ及び図２Ｂは本発明に係る改良式の異形リフレクターの第一種構造であり、リフレクター２０の内表面は反射面であり、リフレクター２０は２つの側面２０２及び側面２０３を有し、その内の１つの側面２０３は複数の斜面２０３ａ乃至２０３ｎが相互に連結される事で凸状曲線を組成させ、各部分斜面２０３ａ乃至２０３ｎの傾斜角度はリフレクター２０の底部から頂部にかけてリフレクターの中心の傾斜を偏向させる事で形成され、他の側面２０２も同様の構造である。また、２つの前記側面２０２及び前記側面２０３は凸状曲線により直線段構造を形成させ、図２Ｂによると、この実施形態ではリフレクター２０の２つの側面２０２及び側面２０３の凸状曲線の直線段構造は互いに対称になる構造である。
【００１８】
図２Ｂによれば、リフレクター２０の対向する表面及び裏面の２面は皆凸状弧形面２０７及び凸状弧形面２０８であり、２つの凸状直線段構造の辺縁から同じ凸状曲線により形成され、両者は非同心円ではあるが互いに対称になる構造である。リフレクター２０の底部から平面２０４が延伸され、頂面は平面２０５である。
【００１９】
図３Ａ及び図３Ｂは本発明に係る改良式異形リフレクターの第二種構造であり、リフレクター３０の内の何れか１つの側面は第一階段状凸状曲線により構成される直線段構造３０２及び第二階段状凸状曲線により構成される直線段構造３０５により構成される。第一階段状凸状曲線により構成される直線段構造３０２は複数の異なる傾斜角の斜面３０２ａ乃至３０２ｎが相互に連結される事で組成され、各斜面３０２ａ乃至３０２ｎの傾斜角度はリフレクター３０の底部から頂部にかけてリフレクターの中心の傾斜を偏向させる事で形成される。
【００２０】
前記第一階段状の凸状曲線により構成される直線段構造３０２の頂縁はリフレクター３０の底部に傾斜する斜面３０４の外縁に連結され、斜面３０４の内縁は第二階段状凸状曲線により構成される直線段構造３０５の底部に連結される。
【００２１】
第二階段状凸状曲線により構成される直線段構造３０５は複数の異なる傾斜角の斜面３０５ａ乃至３０５ｎが相互に連結されて組成され、各斜面３０５ａ乃至３０５ｎの傾斜角度は斜面３０４の内縁から頂部にかけてリフレクターの中心の傾斜を偏向させる事により形成され、他の側面の二階段状凸状曲線により構成される直線段構造３１２、直線段構造３１３、及び連結される斜面３１４も同じ構造により構成される。本実施形態では、リフレクター３０の２つの側辺の凸状曲線により構成される直線段構造３０２、直線段構造３１２、直線段構造３０５、及び直線段構造３１３は互いに対称になる構造である。
【００２２】
図３Ｂによれば、リフレクター３０の表面及び裏面の２面は皆凸状曲線により構成される直線段構造の辺縁から同じ凸状曲線により構成される２つの階段状の凸状弧形面であり、表面３０６及び表面３０７は２つの部分の凸状弧形面の中間で扇状斜面３１０により連結され、裏面３０８及び裏面３０９は２つの部分の凸状弧形面の中間で扇状斜面３１１により連結され、図中の両者は非同心円であるが互いに対称になる構造である。リフレクター３０の底部からは平面３０１が延伸され、頂面は平面３０３である。
【００２３】
図４Ａ及び図４Ｂは本発明に係る改良式異形リフレクターの第三種構造であり、大部分の構造は図３Ａ及び図３Ｂと同様であり、差異は何れか１つの側面はリフレクター４０の第一階段状凸状曲線により構成される直線段構造４０２の頂縁及び第二階段状凸状曲線により構成される直線段構造４０５の底縁の平面４０４に連結され、他の側面はリフレクター４０の第一階段状凸状曲線により構成される直線段構造４１１の頂縁及び第二階段状凸状曲線により構成される直線段構造４１２の底縁の平面４１３に連結され、リフレクター４０の表面に連結される第一階段状凸状弧形面４０６の頂縁及び第二階段状凸状弧形面４０７の底縁は扇状平面４１０であり、リフレクター４０の裏面に連結される第一階段状凸状弧形面４０９の頂縁及び第二階段状凸状弧形面４０８の底縁は扇状平面４１１である点である。
【００２４】
図５Ａ及び図５Ｂは本発明に係る異形リフレクターの第四種構造であり、リフレクター５０の２つの側面は３つの階段状凸状曲線により構成される直線段構造によりそれぞれ組成される。何れか１つの側面の第一階段状凸状曲線により構成される直線段構造５０２は複数の異なる傾斜角の斜面５０２ａ乃至５０２ｎが相互に連結される事で組成され、各斜面５０２ａ乃至５０２ｎの傾斜角度はリフレクター５０の底部から頂部にかけてリフレクターの中心の傾斜を偏向させる事で形成される。
【００２５】
前記第一階段状凸状曲線により構成される直線段構造５０２の頂縁は平面５０４の外縁に連結され、平面５０４の内縁は第二階段状凸状曲線により構成される直線段構造５０５の底部に連結される。
【００２６】
第二階段状凸状曲線により構成される直線段構造５０５は複数の異なる傾斜角の斜面５０５ａ乃至５０５ｎが相互に連結させる事で組成され、各斜面５０５ａ乃至５０５ｎの傾斜角度は平面５０４の内縁から頂部にかけてリフレクターの中心の傾斜を偏向させる事で形成される。
【００２７】
前記第二階段状凸状曲線により構成される直線段構造５０５の頂縁はリフレクターの中心の底部に向かい傾斜される斜面５０６の外縁に連結され、斜面５０６の内縁は第三階段状凸状曲線により構成される直線段構造５０８の底部に連結される。
【００２８】
第三階段状凸状曲線により構成される直線段構造５０８は複数の異なる傾斜角の斜面５０８ａ乃至５０８ｎが相互に連結される事で組成され、各斜面５０８ａ乃至５０８ｎの傾斜角度は斜面５０６の内縁から頂部にかけてリフレクターの中心の傾斜を偏向させる事で形成される。リフレクター５０の他の側面の３つの階段状凸状曲線により構成される直線段構造５１８、直線段構造５１９、直線段構造５２０、連結平面５２１、及び連結斜面５２２により組成される構造は上述の説明の通りであり、本実施形態では、リフレクター５０の２つの側面は互いに対称になる構造である。
【００２９】
図５Ｂによれば、リフレクター５０の表面及び裏面の２面は皆３つの凸状弧形面により組成され、表面の３つの凸状弧形面５０７、凸状弧形面５０９、凸状弧形面５１０、連結扇状平面５１１、及び連結扇状斜面５１２はリフレクター５０の側辺に位置され、且つ凸状曲線により構成される直線段構造の辺縁から同じ凸状曲線により３つの階段状凸状弧形面５０７、階段状凸状弧形面５０９、及び階段状凸状弧形面５１０を構成させ、裏面も同様の構造により構成され、本実施形態では表面及び裏面の３つの階段状凸状弧形面は対称構造である。リフレクター５０の底部からは平面５０１が延伸され、頂面は平面５０３である。
【００３０】
図６Ａ及び図６Ｂは本発明に係る改良式異形リフレクターの第五種構造であり、リフレクター６０の２つの側面の直線段構造６０１及び直線段構造６０２は図４Ａ及び図５Ｂに類似し、２つの階段状凸状曲線により構成される直線段構造であり、差異はリフレクター６０の表面は２つの凸状弧面６０３、凸状弧面６０４、及び凸状直線段構造６０５により組成され、２つの凸状弧面６０３及び凸状弧面６０４は２つの側面の直線段構造６０１及び直線段構造６０２の辺縁から同じ凸状曲線により構成される凸状弧面６０３及び凸状弧面６０４であり、２つの凸状弧面６０３及び凸状弧面６０４は凸状直線段構造６０５の２つの側辺に連結され、前記凸状直線段構造６０５の内反射面は複数の異なる傾斜角の斜面６０５ａ乃至６０５ｎが相互に連結される事で組成され、各斜面６０５ａ乃至６０５ｎの傾斜角度はリフレクター６０の底部から頂部にかけてリフレクターの中心の傾斜を偏向させる事で形成され、リフレクター６０の裏面は凸状直線段構造６０６であり、凸状直線段構造６０６の２つの側辺はリフレクター６０の２つの側面の直線段構造６０１及び直線段構造６０２に連結され、前記凸状直線段構造６０６の内反射面は複数の異なる傾斜角の斜面６０６ａ乃至６０６ｎが相互に連結される事で組成され、各斜面６０６ａ乃至６０６ｎの傾斜角度はリフレクター６０の底部から頂部にかけてリフレクターの中心の傾斜を偏向させる事で形成される点である。
【００３１】
図７Ａ及び図７Ｂは本発明に係る改良式異形リフレクターの第六種構造であり、異形リフレクター７０の内表面は反射面であり、反射面は２組の凸状曲線７０２及び凸状曲線７０３を有し、凸状曲線７０２は複数の異なる傾斜角の斜面７０２ａ、斜面７０２ｂ、斜面７０２ｃ、及び斜面７０２ｎが相互に連結される事で凸状弧形を組成させる。凸状曲線７０３は複数の異なる傾斜角の斜面７０３ａ、斜面７０３ｂ、斜面７０３ｃ、及び斜面７０３ｎが相互に連結される事で凸状曲線７０３を組成させ、２組の凸状曲線７０２及び凸状曲線７０３の各前記斜面の傾斜角度は前記リフレクター７０の底部から頂部にかけて前記リフレクターの中心の傾斜を偏向させる事で形成される。また、リフレクター７０の２つの側辺は２組の凸状曲線７０２及び凸状曲線７０３が重層になり伸長される事で直線段構造７０６及び直線段構造７０７を形成させ、図中の２つの側辺の直線段構造７０６及び直線段構造７０７は対称になる構造であり、実際の運用では非対称の構造（図示せず）でもよく、リフレクター７０の表面及び裏面は直線段構造７０６及び直線段構造７０７の２つの辺縁から各２組の異なる凸状曲線７０２及び凸状曲線７０３により構成される凸状弧形面であり、表面及び裏面の凸状弧形面７０８及び凸状弧形面７０９は非対称の構造である。リフレクター７０の底部からは平面７０５が延伸され、頂面は平面７０４である。
【００３２】
本第六種構造は図２の構造の説明と同じく、図３乃至図６の異なる凸状曲線により組成されるリフレクターの構造も当然ながら本図の構造を形成でき、再度の説明は省く。
【００３３】
図８Ａ及び図８Ｂは本発明に係る改良式異形リフレクターの第七種構造であり、異形リフレクター８０は図２Ａ及び図２Ｂのものに類似し、差異はリフレクターの頂面は凹状頂面であり、前記凹状頂面は複数の異なる下向きの傾斜角の斜面８０１ａ、斜面８０１ｂ、斜面８０１ｃ、及び斜面８０１ｎが相互に連結される事で組成され、下向きの傾斜角の各斜面の傾斜角度は前記凸状曲線により構成される直線段構造の頂縁から前記リフレクターの中心にかけて前記リフレクターの底部の傾斜を偏向される事で形成される。当然ながら上述の図３乃至図７の構造のリフレクターの頂面もこの凹状頂面でもよい。
【００３４】
図９Ａは本発明に係る改良式異形リフレクターの第八種構造であり、異形リフレクター９０の２つの側面凸状曲線により構成される直線段構造１２０８及び直線段構造１２０９は図３Ａ及び図３Ｂの２つの側面凸状曲線により構成される直線段構造に類似し、異形リフレクター９０の表面は２つの側面凸状曲線により構成される直線段構造の辺縁から同じ凸状曲線が構成させる凸状弧形面１２０１に連結され、凸状弧形面１２０１は同心円の凸状弧形面であり、異形リフレクター９０の裏面は２つの側面凸状曲線により構成される直線段構造の辺縁から２つの同じ凸状曲線が構成させる凸状弧形面１２０２及び凸状弧形面１２０３に連結され、２つの凸状弧形面１２０２及び凸状弧形面１２０３は非同心円であるが対称になる凸状弧形面構造である。
【００３５】
図９Ｂは本発明に係る改良式異形リフレクターの第九種構造であり、異形リフレクター９１の２つの側面凸状曲線により構成される直線段構造１２１０及び直線段構造１２１１は図３Ａ及び図３Ｂの２つの側面凸状曲線により構成される直線段構造に類似し、異形リフレクター９１の表面は２つの側面凸状曲線により構成される直線段構造の辺縁から２つの同じ凸状曲線により構成される凸状弧形面１２０４及び凸状弧形面１２０５に連結され、２つの凸状弧形面１２０４及び凸状弧形面１２０５は非同心円であるが対称になる凸状弧形面構造であり、異形リフレクター９１の裏面は２つの側面凸状曲線により構成される直線段構造の辺縁から２つの同じ凸状曲線により構成される凸状弧形面１２０６及び凸状弧形面１２０７に連結され、２つの凸状弧形面１２０６及び凸状弧形面１２０７は非同心円であるが対称になる凸状弧形面構造である。
【００３６】
図１０Ａ及び図１０Ｂは本発明に係る改良式異形リフレクターであり、照明器具の使用時にランプに貫通させるため内部に貫通孔を有する型式であり、図１０Ａは図２のリフレクター２０を例にとる。リフレクター２０の表面には１つの貫通孔９０４を成形させ、ランプに貫通させてリフレクター２０の内部へ進入させ、頂面には２つの貫通孔９０１及び貫通孔９０２を成形させて照明器具支持物を固定させる。図１０Ｂによると、リフレクター２０の頂面の中心には大貫通孔９０３を成形させてランプに貫通させリフレクター２０の内部に進入させ、大貫通孔９０３の両脇には２つの小貫通孔９０１及び小貫通孔９０２を成形させて照明器具支持物を固定させ、上述の図３乃至図９のリフレクター構造も同様にこの貫通孔方式で成形される。
【００３７】
図１２は本発明に係る改良式の不規則なリフレクターを有する照明器具構造の他の実施形態であり、街灯照明器具１１に応用され、ランプシェード１１０１を有し、内部には電源供給装置１１０２が装設され、発光源には改良式異形リフレクター１１０３が透明部材１１０４に設置され、改良式異形リフレクターに装設される街灯照明器具構造を組成させる。
【００３８】
本説明内容中の改良式異形リフレクターの内側の反射面は複数の異なる傾斜角の斜面が相互に連結される事で凸状曲線が組成され、図及び説明内容を簡略化させるため複数の線段で示し、実際の製品の運用では非常に多くの異なる傾斜角度の小線段により連結されて組成され、その外観が弧線に近くなるものも本発明の範囲に含まれる。なお、本説明内容は図１１及び図１２の２つの照明器具の実施形態について説明するが、この２つの実施形態では皆１つの照明器具装置の光源及び異形リフレクターであり、実際の運用では光源がＬＥＤの照明器具でもよく、照明器具内に複数の異形リフレクターを装設させ、各前記リフレクター内部にはＬＥＤ光源を装設させるものも本発明の範囲に含まれる。
【００３９】
以上、本発明の実施形態について図面を参照して詳述したが、具体的な構成はこの実施形態に限られるものではなく、本発明の要旨を逸脱しない範囲の設計変更等も含まれる。
【符号の説明】
【００４０】
２０      リフレクター        
３０      リフレクター        
４０      リフレクター        
５０      リフレクター        
６０      リフレクター        
７０      リフレクター        
８０      リフレクター        
９０      リフレクター        
９１      リフレクター        
１０１５      リフレクター        
１１０３      リフレクター        
２０３ａ      斜面        
２０３ｂ      斜面        
２０３ｃ      斜面        
２０３ｄ      斜面        
２０３ｅ      斜面        
２０３ｆ      斜面        
２０３ｇ      斜面        
２０３ｈ      斜面        
２０３ｉ      斜面        
２０３ｊ      斜面        
２０３ｋ      斜面        
２０３ｌ      斜面        
２０３ｍ      斜面        
２０３ｎ      斜面        
３０２ａ      斜面        
３０２ｂ      斜面        
３０２ｃ      斜面        
３０２ｄ      斜面        
３０２ｅ      斜面        
３０２ｆ      斜面        
３０２ｇ      斜面        
３０２ｈ      斜面        
３０２ｉ      斜面        
３０２ｊ      斜面        
３０２ｋ      斜面        
３０２ｌ      斜面        
３０２ｍ      斜面        
３０２ｎ      斜面        
３０４      斜面        
３０５ａ      斜面        
３０５ｂ      斜面        
３０５ｃ      斜面        
３０５ｄ      斜面        
３０５ｅ      斜面        
３０５ｆ      斜面        
３０５ｇ      斜面        
３０５ｈ      斜面        
３０５ｉ      斜面        
３０５ｊ      斜面        
３０５ｋ      斜面        
３０５ｌ      斜面        
３０５ｍ      斜面        
３０５ｎ      斜面        
３１４      斜面        
５０２ａ      斜面        
５０２ｂ      斜面        
５０２ｃ      斜面        
５０２ｄ      斜面        
５０２ｅ      斜面        
５０２ｆ      斜面        
５０２ｇ      斜面        
５０２ｈ      斜面        
５０２ｉ      斜面        
５０２ｊ      斜面        
５０２ｋ      斜面        
５０２ｌ      斜面        
５０２ｍ      斜面        
５０２ｎ      斜面        
５０５ａ      斜面        
５０５ｂ      斜面        
５０５ｃ      斜面        
５０５ｄ      斜面        
５０５ｅ      斜面        
５０５ｆ      斜面        
５０５ｇ      斜面        
５０５ｈ      斜面        
５０５ｉ      斜面        
５０５ｊ      斜面        
５０５ｋ      斜面        
５０５ｌ      斜面        
５０５ｍ      斜面        
５０５ｎ      斜面        
５０６      斜面        
５０８ａ      斜面        
５０８ｂ      斜面        
５０８ｃ      斜面        
５０８ｄ      斜面        
５０８ｅ      斜面        
５０８ｆ      斜面        
５０８ｇ      斜面        
５０８ｈ      斜面        
５０８ｉ      斜面        
５０８ｊ      斜面        
５０８ｋ      斜面        
５０８ｌ      斜面        
５０８ｍ      斜面        
５０８ｎ      斜面        
５２２        斜面        
６０５ａ      斜面        
６０５ｂ      斜面        
６０５ｃ      斜面        
６０５ｄ      斜面        
６０５ｅ      斜面        
６０５ｆ      斜面        
６０５ｇ      斜面        
６０５ｈ      斜面        
６０５ｉ      斜面        
６０５ｊ      斜面        
６０５ｋ      斜面        
６０５ｌ      斜面        
６０５ｍ      斜面        
６０５ｎ      斜面        
６０６ａ      斜面        
６０６ｂ      斜面        
６０６ｃ      斜面        
６０６ｄ      斜面        
６０６ｅ      斜面        
６０６ｆ      斜面        
６０６ｇ      斜面        
６０６ｈ      斜面        
６０６ｉ      斜面        
６０６ｊ      斜面        
６０６ｋ      斜面        
６０６ｌ      斜面        
６０６ｍ      斜面        
６０６ｎ      斜面        
７０２ａ      斜面        
７０２ｂ      斜面        
７０２ｃ      斜面        
７０２ｎ      斜面        
７０３ａ      斜面        
７０３ｂ      斜面        
７０３ｃ      斜面        
７０３ｎ      斜面        
８０１ａ      斜面        
８０１ｂ      斜面        
８０１ｃ      斜面        
８０１ｎ      斜面        
２０２      両側面        
２０３      両側面        
２０７      凸状弧形面        
２０８      凸状弧形面        
４０６      凸状弧形面        
４０７      凸状弧形面        
４０８      凸状弧形面        
４０９      凸状弧形面        
５０７      凸状弧形面        
５０９      凸状弧形面        
５１０      凸状弧形面        
７０８      凸状弧形面        
７０９      凸状弧形面        
１２０１      凸状弧形面        
１２０２      凸状弧形面        
１２０３      凸状弧形面        
１２０４      凸状弧形面        
１２０５      凸状弧形面        
１２０６      凸状弧形面        
１２０７      凸状弧形面        
６０３      凸状弧面        
６０４      凸状弧面        
２０４      平面        
２０５      平面        
３０１      平面        
３０３      平面        
４０４      平面        
４１３      平面        
５０１      平面        
５０３      平面        
５０４      平面        
５２１      平面        
７０４      平面        
７０５      平面        
３０２      直線段構造        
３０５      直線段構造        
３１２      直線段構造        
３１３      直線段構造        
４０２      直線段構造        
４０５      直線段構造        
４１１      直線段構造        
４１２      直線段構造        
５０２      直線段構造        
５０５      直線段構造        
５０８      直線段構造        
５１８      直線段構造        
５１９      直線段構造        
５２０      直線段構造        
６０１      直線段構造        
６０２      直線段構造        
６０５      直線段構造        
６０６      直線段構造        
７０６      直線段構造        
７０７      直線段構造        
１２０８      直線段構造        
１２０９      直線段構造        
１２１０      直線段構造        
１２１１      直線段構造        
３０６      表面        
３０７      表面        
３０８      裏面        
３０９      裏面        
３１０      扇状斜面        
３１１      扇状斜面        
５１２      扇状斜面        
５１１      扇状平面        
４１０      扇状平面        
４１１      扇状平面        
７０２      凸状曲線        
７０３      凸状曲線        
９０１      貫通孔        
９０２      貫通孔        
９０３      貫通孔        
９０４      貫通孔        
１０４      貫通孔        
１０５      貫通孔        
１０８      貫通孔        
１１２      貫通孔        
１０      吊るし照明器具        
１０１１      電気箱        
１０１２      電源供給装置        
１１０２      電源供給装置        
１０１７      鉄板        
１０１３      ダストカバー        
１０１８      透明部材        
１１０４      透明部材        
１０１４      支持物        
１０１６      光源        
１０１９      照明器具支持物        
１１      街灯照明器具        
１１０１      ランプシェード        
１０１      弧形反射面        
１１０      弧形反射面        
１０２      反射面        
１０３      反射面        
１０９      ランプ        
１１３      ランプ        
１０７      半楕円形反射面        
１１１      平面反射面   
【図１】
2013161787.tif 000003
【図２】
2013161787.tif 000004
【図３】
2013161787.tif 000005
【図４】
2013161787.tif 000006
【図５】
2013161787.tif 000007
【図６】
2013161787.tif 000008
【図７】
2013161787.tif 000009
【図８】
2013161787.tif 000010
【図９】
2013161787.tif 000011
【図１０】
2013161787.tif 000012
【図１１】
2013161787.tif 000013
【図１２】
2013161787.tif 000014